(57)【要約】【課題】防水性と耐圧性を備えながら、新規の構造を付与する必要の無い、小型スピーカ用ダイアフラムを提供する。【解決手段】直径２０ｍｍ以下の防水素材からなるダイアフラムについて、ハウジングへの立ち上がり部に半径０．３５ｍｍ以上の曲面を設けることで、当該小形スピーカの水中落下時、ダイアフラムにかかる水圧を分散し、当該落下の前後に於けるダイアフラムの塑性変形を防ぎ、音響特性の維持が可能な高い耐久性を備えたダイアフラムを提供することができる。【選択図】  図２
2016100796.tif 000002
【特許請求の範囲】
【請求項１】
直径２０ｍｍ以下のダイアフラムについて、ハウジングへの立ち上がり部に半径０．３５ｍｍ以上の曲面を設けたダイアフラム。
【請求項２】
前記ダイアフラムがセンタードームを有している、請求項１記載のダイアフラム。
【発明の詳細な説明】
【技術分野】
【０００１】
本発明は、小型のスピーカに用いられるダイアフラムに関する。
【０００２】
現在、携帯電話に代表される移動体通信機器には、着信音によって使用者に着信を知らせる着信報知手段が設けられている。この着信報知手段はその用途上、音響再生機能と共にある程度の防水性が要求されており、当該着信報知手段にスピーカを用いた代表的な構造として、実開平０７−０１１０８４（以下特許文献１として記載）及び特許第５４７４６６０（以下特許文献２として記載）に記載の防水構造が用いられている。
【０００３】
これら２件のうち、特許文献１記載の構造は、ケース内に設けたスピーカ本体をプラスチックフィルムで覆うことで、当該スピーカの防水性を向上している。また、特許文献２に記載の構造では、取付部材に設けた爪部によって、スピーカを固定する際、当該取付部材−スピーカ間にスペーサを設けたことをその技術的特徴としている。
【先行技術文献】
【特許文献】
【０００４】
【特許文献１】実開平０７−０１１０８４号公報
【特許文献２】特許第５４７４６６０号公報
【発明の概要】
【発明が解決しようとする課題】
【０００５】
上述した効果を有している一方で、特許文献１記載の構造は、独立したスピーカ単体を対象としている。この為、上記移動体通信機器への組込構造として用いる場合には、当該スピーカの搭載区画を、他の部品の搭載区画から隔離しなければならない。加えて、特許文献２記載の構造は、ダイアフラムを防水カバーとしても使用する為、水中への落下等、耐圧性が要求される状況に於いて、ダイアフラムが水圧により変形し、水から引き上げた後の音響特性が、当該落下前の特性から変化してしまうという課題を有している。
【０００６】
上記課題に対して本願記載の発明では、防水性と耐圧性を備えながら、新規の構造を付与する必要の無い、小型スピーカ用ダイアフラムの提供を目的としている。
【課題を解決するための手段】
【０００７】
上記目的のために、本発明に於ける第１の態様記載の発明は、直径２０ｍｍ以下の小型スピーカ用ダイアフラムに於いて、ハウジングへの立ち上がり部に半径０．３５ｍｍ以上の曲面を設けたことを特徴としている。より具体的には、立ち上がり部を有する小型スピーカ用のダイアフラムに於いて、立ち上がり部の底となる内縁部に半径０．３５ｍｍの曲面を設けた構造をその技術的特徴としている。
【０００８】
また、本発明に於ける第２の態様記載の発明は、前記第１の態様記載のダイアフラムにセンタードームを設けたことを特徴としている。より具体的には、前記曲面を設けたダイアフラム中央に、ドーム型の振動板を形成したことをその技術的特徴としている。
【発明の効果】
【０００９】
上述した技術的特徴によって本願記載の小型スピーカ用ダイアフラムは、パッキング及びカバーといった新規の構造を付与することなく、小型スピーカ用ダイアフラム単体に防水性と耐圧性とを備えることを可能にしている。これは、前記立ち上がり部の底となる部分に半径０．３５ｍｍ以上の曲面を設けたことによる効果となっている。
【００１０】
即ち、本発明記載のダイアフラムは、その形状によって前記曲面による応力の分散と、当該ダイアフラムによる防水機能という効果を得ている。この為、特許文献２の様な、取付構造では付与することができない耐圧性について、本発明では使用するダイアフラム形状のみによって向上させることができる。また、本発明では、その基本構造として直径２０ｍｍ以下の小型スピーカ用ダイアフラムを対象としている。これにより、前記水中への落下時、ダイアフラムに加わる水圧を当該ダイアフラム形状によって支えられる範囲に収め、前記移動体通信機器に適した仕様での防水構造を提供することが可能となる。
【００１１】
更に、本発明では、立ち上がり部の形状のみによって前記防水、耐圧性を付与している。この為、本発明記載のダイアフラムは、従来用いてきたダイアフラムの材質や厚み、その他の形状に変更を加えることなく、ダイアフラムの有効径を維持した状態で前記移動体通信機器用途に適応させることが可能となる。また、当該有効径の維持により、本願記載の形状変更を加えられたダイアフラムの音響特性は、当該変更前のダイアフラムと同等に設定することができる。この為、本願記載の発明を用いることで、音響デバイスとしての仕様変更を行うことなく、従来の小型ダイアフラムに防水、耐圧性という効果を付与することができる。
【００１２】
上記述べた効果に加えて、本発明第２の態様記載の発明を用いることで、前記曲面を設けた形状にて、中高域での音響再生に於いて、広い指向性と良好な過渡特性を提供することができる。これは、前記曲面を設けた形状の内周にセンタードームを繋げたことによる効果となっている。即ち、立ち上がり部に前記曲面を設ける構造上、本発明の立ち上がり部内周の振動板部分は、ダイアフラム外周に対して窪んだ位置に形成される。この為、前記ダイアフラムを振動板部分にセンタードームを設けたドーム型スピーカ用の構成とすることで、搭載時に於けるダイアフラムの突出を抑えると共に、前記着信音の再生に適した音響特性を得ることができる。
【００１３】
以上述べたように、本発明記載のダイアフラムを用いることで、防水性と耐圧性を備えながら、新規の構造を付与する必要の無い、小型スピーカ用ダイアフラムを提供することができる。
【図面の簡単な説明】
【００１４】
【図１】本発明の最良の実施形態に於いて用いるダイアフラムを搭載したスピーカの斜視図
【図２】図１に於いて示したスピーカの側断面図
【発明を実施するための形態】
【００１５】
以下に、図１、図２を用いて、本発明に於ける最良の実施形態を示す。尚、図中の記号及び部品番号について、同じ部品として機能するものには共通の記号又は番号を付与している。
【００１６】
図１に本実施形態に於いて用いるダイアフラムを搭載したスピーカの全体斜視図を、図２に、図１で示したスピーカの側断面図を、それぞれ示す。
【００１７】
図１及び図２から解る様に、本実施形態で用いるスピーカ１は、図中縦方向に着磁したマグネット７の両端に磁性体からなるヨーク８及びポールピース６を固定することで円筒状の磁気空隙ｇを形成しており、当該磁気空隙内にボイスコイル３を配置したダイナミック構造とすることで、磁気効率の高い音響再生機能を得ている。また、本実施形態で用いているダイアフラム２の直径は１７ｍｍとなっており、立ち上がり部に半径０．４ｍｍの曲面Rを設け、素材にＰＥＮ樹脂を使用した構造となっている。
【００１８】
この様な構造を用いたことで、本実施形態記載のダイアフラムは、振動板として機能するダイアフラム２の有効径を前記直径ｄの約９割まで設定すると共に、パッキング及びカバーといった新規の構造を付与することなく、ダイアフラム単体に防水性と耐圧性とを備えることが可能となった。これは、直径１７ｍｍと小形に構成されたダイアフラムに対して立ち上がり部を形成し、当該立ち上がり部について所定の曲面を設けた事による効果となっている。
【００１９】
即ち、本実施形態記載のダイアフラム２では、立ち上がり部に設けた曲面Ｒにより、水圧による応力を分散し、水中での耐圧性を向上すると共に、ダイアフラム２の変形量を抑えることで、当該水圧によるダイアフラム２の塑性変形を防ぐことができる。この為、本実施形態記載のダイアフラムを従来の小形スピーカに搭載することで、ダイアフラムの有効径を高く設定していながら、水中への落下に際しても引き上げの前後で音響特性が低下しない、高い耐久性を付与することができた。
【００２０】
また、本実施形態記載のダイアフラム２は、前記立ち上がり部をハウジング４の内壁に嵌合させることで、ハウジング−ダイアフラム間の位置決めを行うことが可能となっている。この為、本実施形態記載のダイアフラムを用いることで、ダイアフラム取付位置のバラツキを抑えて安定した音響特性を提供すると共に、スピーカの組立簡略化という効果をも得ることができる。より具体的には、ハウジング４に別途位置決め用の突部等を設けることなく、当該ダイアフラムに固定されたボイスコイル３を前記軸空隙内に配置することができる。
【００２１】
上述した立ち上がり部による効果に加えて、本実施形態では、ダイアフラム中央に設けたセンタードームｃの周辺に放射状のＶ溝ｖを有するサブドームｓを設けたドーム型のスピーカ構造を用いている。この為、当該各ドームの再生帯域が合わせる事によって、小形の構成でありながら広い再生帯域を得ることができた。更に、前記立ち上がり部によって生じる窪み内を有効径ｄとするダイアフラムに当該各ドームを形成したことで、ダイアフラム外縁部に対する各ドームの突出を抑え、スピーカ全体の厚みを薄型化することもまた、可能となっている。
【００２２】
尚、本実施形態では、ダイアフラム２の形状のみによって上記効果を付与している。この為、本発明と同じ技術的見地から、他の防水性を有するダイアフラムの材質全般に対してもまた、前記耐圧性を向上させることができる。
【００２３】
以上述べたように、本願実施形態記載の構造を用いることによって、防水性と耐圧性を備えながら、新規の構造を付与する必要の無い、小型スピーカ用ダイアフラムを提供することが可能となった。
【符号の説明】
【００２４】
１  スピーカ
２  ダイアフラム
３  ボイスコイル
４  ハウジング
５  カバー
６  ポールピース
７  マグネット
８  ヨーク
ｃ  センタードーム
ｄ  ダイアフラム有効径
ｇ  磁気空隙
Ｒ  曲面
ｓ  サブドーム
ｖ  Ｖ溝
【図１】
2016100796.tif 000003
【図２】
2016100796.tif 000004